(57)【要約】  吹き出し口設置面から離れる方向の風を安定して形成する。  室内機１は、四角形状の吹き出し口設置面の各端部に沿って配置された４つの吹き出し口１１ａ〜１１ｄと、４つの吹き出し口１１ａ〜１１ｄのそれぞれに対応した位置に配置された４つのファン４１ａ〜４１ｄと、４つのファン４１ａ〜４１ｄをそれぞれ制御する制御部５０とを備えている。そして、４つの吹き出し口１１ａ〜１１ｄにおける吹き出し方向は、それらから吹き出された風が衝突することによって吹き出し口設置面から離れる方向の風が形成されるように設定されている。
2009020173.tif 000002
【特許請求の範囲】
【請求項１】
４つの吹き出し口と、
前記４つの吹き出し口の各々から吹き出される風を供給する送風手段と、
前記４つの吹き出し口の各々から吹き出される風の風向及び風量の少なくとも一方を制御する制御手段とを備え、
前記制御手段は、前記４つの吹き出し口の各々から吹き出された風が衝突することによって前記４つの吹き出し口が設置された吹き出し口設置面から離れる方向の風が形成されるように風向及び風量の少なくとも一方を制御することを特徴とする送風装置。
【請求項２】
前記４つの吹き出し口は、四角形状の前記吹き出し口設置面の各端部に沿って配置されることを特徴とする請求項１に記載の送風装置。
【請求項３】
前記４つの吹き出し口の前記吹き出し口設置面の各端部に沿う方向の長さは、同じであることを特徴とする請求項２に記載の送風装置。
【請求項４】
前記４つの吹き出し口は、前記吹き出し口設置面における所定の点から等距離にあることを特徴とする請求項１〜３のいずれか１項に記載の送風装置。
【請求項５】
前記送風手段は、前記４つの吹き出し口のそれぞれに対応した位置に配置された４つの送風機を含むことを特徴とする、請求項１〜４のいずれか１項に記載の送風装置。
【請求項６】
前記送風手段は、送風機と、前記送風機から供給される風を前記４つの吹き出し口のそれぞれに導く４つのダクトとを含むことを特徴とする請求項１〜４のいずれか１項に記載の送風装置。
【請求項７】
前記４つの吹き出し口における吹き出し方向は、所定方向に固定されていることを特徴とする請求項１〜６のいずれか１項に記載の送風装置。
【請求項８】
請求項１〜７のいずれか１項に記載の送風装置を有する室内機を備えていることを特徴とする空気調和機。
【発明の詳細な説明】
【技術分野】
【０００１】
本発明は、送風装置及び空気調和機に関し、特に、４つの吹き出し口を備えた送風装置及び空気調和機に関する。
【背景技術】
【０００２】
従来、２つの吹き出し口を備えた空気調和機が種々提案されている（例えば、特許文献１及び２参照）。【０００３】
上記特許文献１には、室内の壁面の上下に室内機をそれぞれ配置した空気調和機が開示されている。この空気調和機では、上室内機の吹き出し口から吹き出される風と、下室内機の吹き出し口から吹き出される風とを合流させて、冷房時に、上記合流した風を下方に送り出すことにより、室内底面付近に発生する冷気だまりを滞留させず、且つ、暖房時に、上記合流した風を上方に送り出すことにより、室内天井付近に発生する暖気だまりを滞留させない。【０００４】
また、上記特許文献２には、同一室内の天井に設けられた２つの空気調和機（室内機）の吹出口からの吹出風を互いに対向・衝突する方向に所定の角度で吹き出すことにより、室内を２つの領域に分割して調和することが可能な空気調和機が開示されている。【０００５】
【特許文献１】特開２０００−１１１０７７号公報
【特許文献２】特開平４−２９７７４０号公報
【発明の開示】
【発明が解決しようとする課題】
【０００６】
上記特許文献１に記載の空気調和機では、上室内機の吹き出し口から吹き出される風と、下室内機の吹き出し口から吹き出される風とを合流させることにより、室内の底面付近の冷気だまりや室内の天井付近の暖気だまりを解消することは可能である。しかしながら、この空気調和機では、上下方向の２方向のみから風を合流させているため、合流した風が不安定になり、所定の方向に指向させるのが困難であった。【０００７】
また、上記特許文献２に記載の空気調和機においても、上記特許文献１の空気調和機と同様に、２つの吹出口からの吹出風を互いに対向・衝突させた場合に、衝突後の風が不安定になり、所定の方向に指向させるのが困難であった。【０００８】
そこで、この発明は、上記のような課題を解決するためになされたものであり、吹き出し口設置面から離れる方向の風を安定して形成することが可能な送風装置及び空気調和機を提供することを目的とする。
【課題を解決するための手段】
【０００９】
第１の発明にかかる送風装置は、４つの吹き出し口と、４つの吹き出し口の各々から吹き出される風を供給する送風手段と、４つの吹き出し口の各々から吹き出される風の風向及び風量の少なくとも一方を制御する制御手段とを備え、制御手段は、４つの吹き出し口の各々から吹き出された風が衝突することによって４つの吹き出し口が設置された吹き出し口設置面から離れる方向の風が形成されるように風向及び風量の少なくとも一方を制御する。【００１０】
この送風装置では、４つの吹き出し口の各々から吹き出される風の風向及び風量の少なくとも一方を制御することによって、４つの吹き出し口から吹き出される風を所定の風量分配及び／又は衝突角度で衝突させることができる。これにより、吹き出し口設置面から離れる位置において、４つの吹き出し口から吹き出された風が衝突することによって形成された塊感のある面的な風を、所定の方向に安定して指向させることが可能となる。【００１１】
第２の発明にかかる送風装置は、第１の発明にかかる送風装置において、４つの吹き出し口は、四角形状の吹き出し口設置面の各端部に沿って配置される。【００１２】
この送風装置では、四角形の４方向から吹き出された風を衝突させることができるので、塊感のある面的な風を所定の方向に安定して指向させることが容易になる。【００１３】
第３の発明にかかる送風装置は、第２の発明にかかる送風装置において、４つの吹き出し口の吹き出し口設置面の各端部に沿う方向の長さは、同じである。【００１４】
この送風装置では、４つの吹き出し口の吹き出し口設置面の各端部に沿う方向の長さが同じであるので、各吹き出し口から同等の風量の風を容易に吹き出すことができる。この場合、４つの吹き出し口の吹き出し口設置面の各端部に沿う方向の長さが異なる場合に比べて、４つの吹き出し口から吹き出される風の風量分配の制御が簡単になるので、塊感のある面的な風を所定の方向に安定して指向させることがさらに容易になる。【００１５】
第４の発明にかかる送風装置は、第１〜第３の発明のいずれかにかかる送風装置において、４つの吹き出し口は、吹き出し口設置面における所定の点から等距離にある。【００１６】
この送風装置では、４つの吹き出し口が吹き出し口設置面における所定の点から等距離にあるので、当該所定の点を中心とする塊感のある面的な風を所定の方向に安定して指向させることができる。【００１７】
第５の発明にかかる送風装置は、第１〜第４の発明のいずれかにかかる送風装置において、送風手段は、４つの吹き出し口のそれぞれに対応した位置に配置された４つの送風機を含む。【００１８】
この送風装置では、各吹き出し口の風量の調整が容易になるので、容易に４つの吹き出し口から吹き出される風を所定の風量分配で衝突させることができる。これにより、衝突後に形成される塊感のある面的な風を所定の方向に安定して指向させることが容易になる。【００１９】
第６の発明にかかる送風装置は、第１〜第４の発明のいずれかにかかる送風装置において、送風手段は、送風機と、送風機から供給される風を４つの吹き出し口のそれぞれに導く４つのダクトとを含む。【００２０】
この送風装置では、１つの送風機から送り出される風を４つのダクトを介して４つの吹き出し口に分離して吹き出すことができる。つまり、この送風装置では、４つの吹き出し口毎に送風機を設けることなく、１つの送風機で、塊感のある面的な風を所定の方向に安定して指向させることができる。【００２１】
第７の発明にかかる送風装置は、第１〜第６の発明のいずれかにかかる送風装置において、４つの吹き出し口における吹き出し方向は、所定方向に固定されている。【００２２】
この送風装置では、吹き出し口における吹き出し方向を変更可能にする風向変更部材等を設ける必要がないので、４つの吹き出し口の構成を簡略化できる。【００２３】
第８の発明にかかる空気調和機は、第１〜第７の発明のいずれかにかかる送風装置を有する室内機を備えている。【００２４】
この空気調和機では、上記した送風装置を有する室内機を備えているので、４つの吹き出し口から吹き出された風の衝突後に形成された塊感のある面的な風を、所定の方向に安定して指向させることができ、当該室内機が設置された部屋の空調状態を即座に調整することができる。
【発明の効果】
【００２５】
以上の説明に述べたように、本発明によれば、以下の効果が得られる。【００２６】
第１の発明では、４つの吹き出し口の各々から吹き出される風の風向及び風量の少なくとも一方を制御することによって、４つの吹き出し口から吹き出される風を所定の風量分配及び／又は衝突角度で衝突させることができる。これにより、吹き出し口設置面から離れる位置において、４つの吹き出し口から吹き出された風が衝突することによって形成された塊感のある面的な風を、所定の方向に安定して指向させることが可能となる。【００２７】
また、第２の発明では、四角形の４方向から吹き出された風を衝突させることができるので、塊感のある面的な風を所定の方向に安定して指向させることが容易になる。【００２８】
また、第３の発明では、４つの吹き出し口の吹き出し口設置面の各端部に沿う方向の長さが同じであるので、各吹き出し口から同等の風量の風を容易に吹き出すことができる。この場合、４つの吹き出し口の吹き出し口設置面の各端部に沿う方向の長さが異なる場合に比べて、４つの吹き出し口から吹き出される風の風量分配の制御が簡単になるので、塊感のある面的な風を所定の方向に安定して指向させることがさらに容易になる。【００２９】
また、第４の発明では、４つの吹き出し口が吹き出し口設置面における所定の点から等距離にあるので、当該所定の点を中心とする塊感のある面的な風を所定の方向に安定して指向させることができる。【００３０】
また、第５の発明では、各吹き出し口の風量の調整が容易になるので、容易に４つの吹き出し口から吹き出される風を所定の風量分配で衝突させることができる。これにより、衝突後に形成される塊感のある面的な風を所定の方向に安定して指向させることが容易になる。【００３１】
また、第６の発明では、１つの送風機から送り出される風を４つのダクトを介して４つの吹き出し口に分離して吹き出すことができる。つまり、この送風装置では、４つの吹き出し口毎に送風機を設けることなく、１つの送風機で、塊感のある面的な風を所定の方向に安定して指向させることができる。【００３２】
また、第７の発明では、吹き出し口における吹き出し方向を変更可能にする風向変更部材等を設ける必要がないので、４つの吹き出し口の構成を簡略化できる。【００３３】
また、第８の発明では、４つの吹き出し口から吹き出された風の衝突後に形成された塊感のある面的な風を、所定の方向に安定して指向させることができ、当該室内機が設置された部屋の空調状態を即座に調整することができる。
【図面の簡単な説明】
【００３４】
【図１】本発明の第１実施形態に係る空気調和機の室内機の全体構成を示した正面図である。
【図２】図１に示した室内機のブロック図である。
【図３】図１に示した室内機の側面図である。
【図４】図１に示した室内機の吹き出し口から吹き出される風の風量による風向の制御を説明するための図である。
【図５】本発明の第２実施形態に係る送風装置と空気調和機の室内機とを示した図である。
【図６】本発明の第３実施形態に係る送風装置を示した平面図である。
【図７】図６に示した送風装置の各吹き出し口から吹き出される風の風向と衝突後の風の風向との関係を説明するための図である。
【図８】図６に示した送風装置の各吹き出し口から吹き出される風の風向と衝突後の風の風向との関係を説明するための図である。
【図９】図６に示した送風装置の各吹き出し口から吹き出される風の風向と衝突後の風の風向との関係を説明するための図である。
【図１０】図６に示した送風装置の各吹き出し口から吹き出される風の風向と衝突後の風の風向との関係を説明するための図である。
【図１１】本発明の実施例に係る室内機の寸法とその室内機が設置される解析空間の寸法とを示した図である。
【図１２】本発明の実施例に係る室内機の寸法を示した図である。
【図１３】本発明の実施例に係る室内機の吹き出し口から吹き出される風の吹き出し角度を示した図である。
【図１４】本発明の実施例１に係る室内機の吹き出し口から吹き出される風の吹き出し条件と、解析空間内の風速及び風向の解析結果とを示した図である。
【図１５】本発明の実施例２に係る室内機の吹き出し口から吹き出される風の吹き出し条件と、解析空間内の風速及び風向の解析結果とを示した図である。
【図１６】本発明の実施例３に係る室内機の吹き出し口から吹き出される風の吹き出し条件と、解析空間内の風速及び風向の解析結果とを示した図である。
【図１７】本発明の実施例４に係る室内機の吹き出し口から吹き出される風の吹き出し条件と、解析空間内の風速及び風向の解析結果とを示した図である。
【図１８】本発明の実施例４に係る室内機の吹き出し口から吹き出される風の吹き出し口設置面からの距離毎の風速の解析結果を示した図である。
【図１９】本発明の実施例５に係る室内機の吹き出し口から吹き出される風の吹き出し条件と、解析空間内の風速及び風向の解析結果とを示した図である。
【図２０】本発明の実施例６に係る室内機の吹き出し口から吹き出される風の吹き出し条件と、解析空間内の風速及び風向の解析結果とを示した図である。
【図２１】本発明の実施例７に係る室内機の吹き出し口から吹き出される風の吹き出し条件と、解析空間内の風速及び風向の解析結果とを示した図である。
【図２２】本発明の実施例７に係る室内機の吹き出し口から吹き出される風の吹き出し口設置面からの距離毎の風速の解析結果を示した図である。
【符号の説明】
【００３５】
１  室内機
１ａ〜１ｄ、２４０  送風ユニット
１０ａ〜１０ｄ  ケーシング
１１ａ〜１１ｄ、１１１ａ〜１１１ｄ、２１１ａ〜２１１ｄ  吹き出し口
２０ａ〜２０ｄ  風向変更板
３０ａ〜３０ｄ  熱交換器
４１ａ〜４１ｄ、１４１ａ〜１４１ｄ、２４１  ファン
５０  制御部
１０１、２０１  送風装置
【発明を実施するための最良の形態】
【００３６】
以下、図面に基づいて、本発明に係る送風装置の実施形態について説明する。【００３７】
（第１実施形態）
図１は、本発明の第１実施形態に係る空気調和機の室内機の全体構成を示した正面図である。図２は、図１に示した室内機のブロック図である。図３は、図１に示した室内機の側面図であり、図４は、図１に示した室内機の吹き出し口から吹き出される風の風量による風向の制御を説明するための図である。以下、図１〜図４を参照して、本発明の第１実施形態に係る室内機１について説明する。なお、ここでは、空気調和機の室内機１について説明するが、当該室内機に室外機などが接続されることにより、空気調和機が構成される。【００３８】
本実施形態の室内機１は、壁掛型の室内機であって、水平方向に向かって送風を行う。この室内機１は、図１に示すように、４つの送風ユニット１ａ〜１ｄを備えており、当該４つの送風ユニット１ａ〜１ｄは、吹き出し口設置面Ａの各端部に沿って配置されている。なお、上記した「吹き出し口設置面Ａ」は、長方形状の平面であって、各端部には後述する吹き出し口１１ａ〜１１ｄが位置している。送風ユニット１ａ（以下適宜、上送風ユニット１ａとする）は四角形の吹き出し口設置面Ａの上端に沿って配置され、送風ユニット１ｂ（以下適宜、下送風ユニット１ｂとする）は四角形の吹き出し口設置面Ａの下端に沿って配置され、送風ユニット１ｃ（以下適宜、左送風ユニット１ｃとする）は四角形の吹き出し口設置面Ａの左端に沿って配置され、送風ユニット１ｄ（以下適宜、右送風ユニット１ｄとする）は四角形の吹き出し口設置面Ａの右端に沿って配置される。このように配置された送風ユニット１ａ〜１ｄによって、室内機１は、四角形の枠状に構成される。そして、送風ユニット１ａ〜１ｄは、それぞれ、図１及び図２に示すように、ケーシング１０ａ〜１０ｄと、風向変更板２０ａ〜２０ｄと、熱交換器３０ａ〜３０ｄと、ファン４１ａ〜４１ｄと、ファンモータ４２ａ〜４２ｄとを備えている。また、送風ユニット１ａには、他の送風ユニット１ｂ〜１ｄとは異なり、制御部５０が設けられている。【００３９】
ケーシング１０ａ〜１０ｄは、図１〜図３に示すように、それぞれ、熱交換器３０ａ〜３０ｄ、ファン４１ａ〜４１ｄ、ファンモータ４２ａ〜４２ｄ、制御部５０などを内包し、送風ユニット１ａ〜１ｄの外観を形成する。この各ケーシング１０ａ〜１０ｄには、それぞれ、室内環境を調和する冷気又は暖気を吹き出すための吹き出し口１１ａ〜１１ｄが形成されている。この吹き出し口１１ａ〜１１ｄは、上記した吹き出し口設置面Ａの端部に沿って配置されている。具体的には、上送風ユニット１ａの吹き出し口１１ａは吹き出し口設置面Ａの上端に沿って配置され、下送風ユニット１ｂの吹き出し口１１ｂは吹き出し口設置面Ａの下端に沿って配置され、左送風ユニット１ｃの吹き出し口１１ｃは吹き出し口設置面Ａの左端に沿って配置され、右送風ユニット１ｄの吹き出し口１１ｄは吹き出し口設置面Ａの右端に沿って配置される。このように配置された吹き出し口１１ａ〜１１ｄは、吹き出し口設置面Ａの内側に向かって風を送るように構成されている。そして、吹き出し口１１ａの長さ及び吹き出し口１１ｂの長さは、吹き出し口１１ｃの長さ及び吹き出し口１１ｄの長さより長くなっている。【００４０】
風向変更板２０ａ〜２０ｄは、それぞれ、吹き出し口１１ａ〜１１ｄ内に設けられ、上送風ユニット１ａ及び下送風ユニット１ｂの風向変更板２０ａ及び２０ｂは、吹き出し口１１ａ及び１１ｂにおける上下方向の吹き出し方向を変更し、左送風ユニット１ｃ及び右送風ユニット１ｄの風向変更板２０ｃ及び２０ｄは、吹き出し口１１ｃ及び１１ｄにおける左右方向の吹き出し方向を変更する。そして、本実施形態では、風向変更板２０ａ〜２０ｄにより定められる吹き出し口１１ａ〜１１ｄにおける吹き出し方向は、それらから吹き出された風が衝突することによって、吹き出し口設置面Ａから離れる方向の風が形成されるように設定される。【００４１】
ファン４１ａ〜４１ｄは、それぞれ、熱交換器３０ａ〜３０ｄで熱交換された冷気又は暖気をケーシング１０ａ〜１０ｄの吹き出し口１１ａ〜１１ｄから送風する。このファン４１ａ〜４１ｄは、それぞれ、クロスフローファンである。また、ファン４１ａ〜４１ｄは、それぞれ、ケーシング１０ａ〜１０ｄの吹き出し口１１ａ〜１１ｄに対応した位置に配置されている。そして、ファン４１ａ〜４１ｄには、ファン４１ａ〜４１ｄを回転駆動させるファンモータ４２ａ〜４２ｄが接続されている。そして、本実施形態では、ファン４１ａ〜４１ｄにより吹き出し口１１ａ〜１１ｄの各々から吹き出される風の吹き出し量は、それらから吹き出された風が衝突することによって、吹き出し口設置面Ａから離れる方向の風が形成されるように設定される。【００４２】
制御部５０は、送風ユニット１ａ〜１ｄの各種動作を統括する。本実施形態の制御部５０は、図２に示すように、それぞれ、ファンモータ４２ａ〜４２ｄの駆動を制御して、ファン４１ａ〜４１ｄから送風される風量を制御すると共に、風向変更板２０ａ〜２０ｄの回転駆動を制御して、吹き出し口１１ａ〜１１ｄにおける吹き出し方向を制御する。これにより、風量及び風向が調整された風が衝突することによって、吹き出し口設置面Ａから離れる方向の風（塊感のある面的な風）が形成される。【００４３】
例えば、衝突後の風の上下方向の風向を調整する場合、図３に示すように、上送風ユニット１ａのファンモータ４２ａ、及び、下送風ユニット１ｂのファンモータ４２ｂをそれぞれ制御する。具体的には、上送風ユニット１ａのファン４１ａから送風される風量を、下送風ユニット１ｂのファン４１ｂから送風される風量より大きくした場合、図３（ａ）に示すように、風向を下方にすることができる。これに対して、下送風ユニット１ｂのファン４１ｂから送風される風量を、上送風ユニット１ａのファン４１ａから送風される風量より大きくした場合、図３（ｂ）に示すように、風向を上方にすることができる。【００４４】
また、衝突後の風の左右方向の風向を調整する場合、図４に示すように、左送風ユニット１ｃのファンモータ４２ｃ、及び、右送風ユニット１ｄのファンモータ４２ｄをそれぞれ制御する。具体的には、左送風ユニット１ｃのファン４１ｃから送風される風量を、右送風ユニット１ｄのファン４１ｄから送風される風量より大きくした場合、図４（ａ）に示すように、風向を右方にすることができる。これに対して、右送風ユニット１ｄのファン４１ｄから送風される風量を、左送風ユニット１ｃのファン４１ｃから送風される風量より大きくした場合、図４（ｂ）に示すように、風向を左方にすることができる。【００４５】
〈第１実施形態にかかる室内機１の特徴〉
第１実施形態の室内機１には、以下のような特徴がある。【００４６】
第１実施形態の室内機１では、制御部５０によって、４つのファン４１ａ〜４１ｄがそれぞれ制御されるので、４つの吹き出し口１１ａ〜１１ｄから吹き出される風の風量を容易に変化させることができる。これにより、４つの吹き出し口１１ａ〜１１ｄから吹き出される風の風量分配に応じて、衝突後に形成される塊感のある面的な風を所定の方向に安定して指向させることができる。【００４７】
また、第１実施形態では、制御部５０によって、４つの風向変更板２０ａ〜２０ｄがそれぞれ制御されるので、４つの吹き出し口１１ａ〜１１ｄから吹き出される風の風向を容易に変化させることができる。これにより、４つの吹き出し口１１ａ〜１１ｄから吹き出される風の衝突角度に応じて、衝突後に形成される塊感のある面的な風を所定の方向に安定して指向させることができる。【００４８】
上記したように、第１実施形態では、制御部５０により、ファンモータ４２ａ〜４２ｄに加えて、風向変更板２０ａ〜２０ｄも制御されるので、４つの吹き出し口１１ａ〜１１ｄから吹き出される風の風量及び風向を共に制御することができる。これにより、塊感のある面的な風の進行方向を微調整することが可能となる。【００４９】
また、第１実施形態では、吹き出し口１１ａ〜１１ｄを四角形の吹き出し口設置面Ａの端部に沿って配置することによって、四角形の４方向から吹き出された風を衝突させることができるので、塊感のある面的な風を所定の方向に安定して指向させることが容易になる。【００５０】
（第２実施形態）
図５は、本発明の第２実施形態に係る送風装置と空気調和機の室内機とを示した図である。次に、図５を参照して、本発明の第２実施形態に係る送風装置１０１について説明する。【００５１】
本実施形態の送風装置１０１は、図５に示すように、４つの吹き出し口１１１ａ〜１１１ｄを有する枠構造体であって、空気調和機の室内機１０２によって調和された空気を導入して、当該４つの吹き出し口１１１ａ〜１１１ｄからその調和された空気を送風する。つまり、既存の室内機１０２によって調和された空気が導入部材１０３を介して、後述する各構造体１０１ａ〜１０１ｄに導かれて、４つの吹き出し口１１１ａ〜１１１ｄから送風される。本実施形態の送風装置１０１は、第１実施形態の室内機１とは異なり、室内の空気を調和する機能を有していない。そのため、送風装置１０１には、熱交換器など空気の調和に必要な部材は備えられていない。【００５２】
本実施形態の送風装置１０１は、四角形の枠状に組み付けられた４つの構造体１０１ａ〜１０１ｄを備えており、当該４つの構造体１０１ａ〜１０１ｄは、四角形の吹き出し口設置面Ａの各端部に沿って配置されている。具体的には、構造体１０１ａ（以下適宜、上構造体１０１ａとする）は四角形の吹き出し口設置面Ａの上端に沿って配置され、構造体１０１ｂ（以下適宜、下構造体１０１ｂとする）は四角形の吹き出し口設置面Ａの下端に沿って配置され、構造体１０１ｃ（以下適宜、左構造体１０１ｃとする）は四角形の吹き出し口設置面Ａの左端に沿って配置され、構造体１０１ｄ（以下適宜、右構造体１０１ｄとする）は四角形の吹き出し口設置面Ａの右端に沿って配置される。そして、構造体１０１ａ〜１０１ｄは、それぞれ、ケーシング１１０ａ〜１１０ｄと、風向変更板と、ファン１４１ａ〜１４１ｄと、ファンモータと、制御部とを備えている。【００５３】
ケーシング１１０ａ〜１１０ｄは、それぞれ、ファン１４１ａ〜１４１ｄや制御部などを内包し、構造体１０１ａ〜１０１ｄの外観を形成する。この各ケーシング１１０ａ〜１１０ｄには、隣接するケーシング間で空気が通過するように空気通過経路が設けられており、室内機１０２から上構造体１０１ａに導入される空気が、各構造体１０１ｂ〜１０１ｄに導かれるように構成されている。そして、各ケーシング１１０ａ〜１１０ｄには、それぞれ、室内機１０２から導入された冷気又は暖気を吹き出すための吹き出し口１１１ａ〜１１１ｄが形成されている。この吹き出し口１１１ａ〜１１１ｄは、上記した吹き出し口設置面Ａの端部に沿って配置されている。具体的には、上構造体１０１ａの吹き出し口１１１ａは四角形の吹き出し口設置面Ａの上端に沿って配置され、下構造体１０１ｂの吹き出し口１１１ｂは四角形の吹き出し口設置面Ａの下端に沿って配置され、左構造体１０１ｃの吹き出し口１１１ｃは四角形の吹き出し口設置面Ａの左端に沿って配置され、右構造体１０１ｄの吹き出し口１１１ｄは四角形の吹き出し口設置面Ａの右端に沿って配置される。このように配置された吹き出し口１１１ａ〜１１１ｄは、吹き出し口設置面Ａの内側に向かって風を送るように構成されている。【００５４】
風向変更板、ファン１４１ａ〜１４１ｄ、ファンモータ及び制御部の特徴は、第１実施形態と同様であるので、その説明を省略する。【００５５】
〈第２実施形態にかかる送風装置１０１の特徴〉
第２実施形態の送風装置１０１には、以下のような特徴がある。【００５６】
第２実施形態の送風装置１０１では、既存の空気調和機室内機１０２を利用して、塊感のある面的な風を所定の方向に安定して指向させることができるので、室内を即座に調和することが可能となる。【００５７】
また、第２実施形態の送風装置１０１では、第１実施形態の送風装置１と同様の効果を得ることができる。【００５８】
（第３実施形態）
図６は、本発明の第３実施形態に係る送風装置の平面図である。また、図７〜図１０は、図６に示した送風装置の詳細を説明するための図である。次に、図６〜図１０を参照して、本発明の第３実施形態に係る送風装置２０１について説明する。【００５９】
本実施形態の送風装置２０１は、図６及び図７に示すように、天井設置型の送風装置であって、天井側から室内下方に向かって送風を行う。この送風装置２０１は、送風ユニット２４０と、送風ユニット２４０に接続される４つのダクト２１０ａ〜２１０ｄと、４つのダクト２１０ａ〜２１０ｄのそれぞれに接続される４つの吹き出し口２１１ａ〜２１１ｄとを備えており、送風ユニット２４０によって送風された空気が各ダクト２１０ａ〜２１０ｄを介して、各吹き出し口２１１ａ〜２１１ｄから送風される。この第３実施形態の送風装置２０１は、上記した吹き出し口毎にファンが設けられた第１実施形態及び第２実施形態と異なり、１つの送風ユニット２４０で４つの吹き出し口２１１ａ〜２１１ｄから送風を行う。【００６０】
本実施形態では、４つの吹き出し口２１１ａ〜２１１ｄは、吹き出し口設置面（天井面）Ｂの所定の点（以下、中心点とする）Ｃから等距離にある。そして、この４つの吹き出し口２１１ａ〜２１１ｄは、当該中心点Ｃから９０度の等間隔で設けられている。これらの吹き出し口２１１ａ〜２１１ｄは、いずれも円形であって、その内部には、風向変更板（図示せず）が設けられている。この風向変更板は、吹き出し口２１１ａ〜２１１ｄにおけるＸ方向及びＹ方向の吹き出し方向を変更することが可能である。【００６１】
例えば、図７及び図８に示すように、各吹き出し口２１１ａ〜２１１ｄにおける風向を互いに均等に内側（中心点Ｃ）に向くようにすることで、衝突後の風の中心を上記した中心点Ｃに一致させることが可能となる。また、図９及び図１０に示すように、３つの吹き出し口２１１ａ〜２１１ｃおける風向を、他の吹き出し口２１１ｄに向くようにすることで、衝突後の風の中心を吹き出し口２１１ｄ側に偏らせることが可能となる。上記のようにして、４つの吹き出し口２１１ａ〜２１１ｄから吹き出された風が衝突して吹き出し口設置面（天井面）Ｂから離れる方向の風が形成される。【００６２】
送風ユニット２４０は、ファン２４１やそのファン２４１を制御する制御部などを内包し、接続される４つのダクト２１０ａ〜２１０ｄに対して風を供給する。４つのダクト２１０ａ〜２１０ｄは、いずれも送風ユニット２４０の一方側面に接続されている。【００６３】
ダクト２１０ａ〜２１０ｄは、上記した送風ユニット２４０から供給される風を吹き出し口２１１ａ〜２１１ｄに導くために設けられている。このダクト２１０ａ〜２１０ｄは、送風ユニット２４０の側面から吹き出し口２１１ａ〜２１１ｄまで延在している。そして、ダクト２１０ａ〜２１０ｄの下流側端部は、その端部から吹き出された空気が下方に送風されるように、下方に向くように屈曲している。【００６４】
〈第３実施形態にかかる送風装置２０１の特徴〉
第３実施形態の送風装置２０１には、以下のような特徴がある。【００６５】
上記した第３実施形態の送風装置２０１では、送風ユニット２４０から送風される風を、ダクト２１０ａ〜２１０ｄを介して４つの吹き出し口２１１ａ〜２１１ｄに分離して吹き出すことができる。つまり、この送風装置２０１では、４つの吹き出し口２１１ａ〜２１１ｄ毎に送風機を設けることなく、１つのファン２４１で、塊感のある面的な風を所定の方向に安定して指向させることができる。
【実施例】
【００６６】
次に、上記した本発明の第１実施形態の室内機から送風される風の流れ解析について説明する。この流れ解析では、図１１に示すように、４．８ｍ（縦）×４．８ｍ（横）×２．２ｍ（高さ）の解析空間内において、各送風ユニットの吹き出し口から吹き出される風の風速及び吹き出し方向を変化させて、解析空間内の風速及び風向を解析した。なお、上記した「吹き出し方向」は、図１３に示すように、垂直方向に対する角度である「吹き出し角度」で示される。具体的には、解析空間の底面から０．５ｍ、１．０ｍ及び１．５ｍの高さにおける風速と、風向とを解析した。なお、この実験に用いられる室内機は、上記解析空間を形成する壁面において、底面から高さ０．８ｍの位置で、且つ、側壁までの距離１．７４ｍの位置に設置した。また、室内機は、図１１及び図１２に示すように、０．７７ｍ（縦）×１．３２ｍ（横）×０．１ｍ（厚み）の大きさを有し、当該室内機を構成する各送風ユニットは、０．１５ｍの幅を有している。また、上送風ユニット及び下送風ユニットの吹き出し口は、０．０１５ｍ×０．９８ｍの大きさを有し、左送風ユニット及び右送風ユニットの吹き出し口は、０．０１５ｍ×０．９８ｍの大きさを有している。【００６７】
（実施例１）
実施例１に係る室内機では、図１４（ａ）に示すように、４つの送風ユニットの各吹き出し口から、吹き出し角度０°で、風速５．０ｍ／ｓの風を吹き出した。この場合、図１４（ｅ）に示すように、室内機から吹き出された風は、水平方向に広がらず直進して、吹き出し口設置面に対向する壁面に衝突するのが分かった。解析空間の高さ毎の解析結果を参照すると底面から１．５ｍの高さの位置では、図１４（ｂ）に示すように、室内機から吹き出された風が、水平方向に広がっていないことが分かった。同様に、底面から１．０ｍの高さ位置でも、図１４（ｃ）に示すように、室内機から吹き出された風が、水平方向に広がっていないことが分かった。また、底面から０．５ｍの高さ位置でも、図１４（ｄ）に示すように、室内機から吹き出された風が、水平方向に広がっていないことが分かった。【００６８】
（実施例２）
実施例２に係る室内機では、図１５（ａ）に示すように、上送風ユニット及び下送風ユニットの両吹き出し口から、吹き出し角度０°で、風速５．０ｍ／ｓの風を吹き出した。右送風ユニット及び左送風ユニットの両吹き出し口からは、送風を行わなかった。この場合、図１５（ｅ）に示すように、室内機から吹き出された風は、天井に沿って進行して、吹き出し口設置面に対向する壁面に衝突するのが分かった。解析空間の高さ毎の解析結果を参照すると、底面から１．５ｍの高さ、１．０ｍの高さ及び０．５ｍの高さの位置では、図１５（ｂ）〜（ｄ）に示すように、いずれも、室内機から吹き出された風がほぼ通過していないことが分かった。【００６９】
（実施例３）
実施例３に係る室内機では、図１６（ａ）に示すように、上送風ユニット、左送風ユニット及び右送風ユニットの各吹き出し口から、吹き出し角度０°で、風速５．０ｍ／ｓの風を吹き出し、下送風ユニットの吹き出し口から、吹き出し角度０°で、風速２．５ｍ／ｓの風を吹き出した。この場合、図１６（ｅ）に示すように、室内機から吹き出された風は、底面付近を進行して、吹き出し口設置面に対向する壁面に衝突するのが分かった。解析空間の高さ毎の解析結果を参照すると、底面から１．５ｍの高さの位置では、図１６（ｂ）に示すように、室内機から吹き出された風がほぼ通過していないことが分かった。また、底面から１．０ｍの高さの位置では、図１６（ｃ）に示すように、室内機から吹き出されて吹き出し口設置面に対向する壁面に進行する風が、水平方向に広がっていないことが分かった。同様に、底面から０．５ｍの高さ位置でも、図１６（ｄ）に示すように、室内機から吹き出されて吹き出し口設置面に対向する壁面に進行する風が、水平方向に広がっていないことが分かった。【００７０】
（実施例４）
実施例４に係る室内機では、図１７（ａ）に示すように、４つの送風ユニットの各吹き出し口から、風速５．０ｍ／ｓの風を吹き出した。この際、上送風ユニット及び下送風ユニットの吹き出し角度を３０°に設定した。この場合、図１７（ｅ）に示すように、室内機から吹き出された風は、吹き出し口設置面に対向する壁面に衝突するまでに安定して水平方向に広がっているのが分かった。解析空間の高さ毎の解析結果を参照すると、底面から１．５ｍの高さの位置では、図１７（ｂ）に示すように、室内機から吹き出された風が、水平方向に広がっていることが分かった。同様に、底面から１．０ｍの高さ位置でも、図１７（ｃ）に示すように、室内機から吹き出された風が、水平方向に広がっていることが分かった。また、底面から０．５ｍの高さ位置では、図１７（ｄ）に示すように、室内機から吹き出された風がほぼ通過していないことが分かった。また、解析空間の吹き出し口設置面からの距離毎の解析結果を参照すると、吹き出し口設置面から０．５ｍの位置（図１８（ａ）参照）から２．０ｍの位置（図１８（ｂ）参照）に至るまでに、風が広がっているのが分かった。【００７１】
（実施例５）
実施例５に係る室内機では、図１９（ａ）に示すように、４つの送風ユニットの各吹き出し口から、風速５．０ｍ／ｓの風を吹き出した。この際、上送風ユニットの吹き出し角度を３０°に設定した。この場合、図１９（ｅ）に示すように、実施例１と比較して、室内機から吹き出された風を下方に指向されるのが分かった。解析空間の高さ毎の解析結果を参照すると、図１９（ｂ）〜（ｄ）に示すように、底面から１．０ｍの高さの位置を中心として、室内機から吹き出された風が、吹き出し口設置面に対向する壁面に衝突しているのが分かった。【００７２】
（実施例６）
実施例６に係る室内機では、図２０（ａ）に示すように、上送風ユニット及び下送風ユニットの両吹き出し口から、吹き出し角度３０°で、風速５．０ｍ／ｓの風を吹き出した。右送風ユニット及び左送風ユニットの両吹き出し口からは、送風を行わなかった。この場合、図２０（ｅ）に示すように、室内機から吹き出された風は、波打って不安定になることが分かった。解析空間の高さ毎の解析結果を参照すると、底面から１．５ｍの高さ、１．０ｍの高さ及び０．５ｍの高さの位置では、図１５（ｂ）〜（ｄ）に示すように、いずれも、室内機から吹き出された風が、直進せず、吹き出し口設置面に対向する壁面に到達していないことが分かった。【００７３】
（実施例７）
実施例７に係る室内機では、図２１（ａ）に示すように、上送風ユニット及び下送風ユニットの両吹き出し口から、吹き出し角度３０°で、風速５．０ｍ／ｓの風を吹き出したと共に、左送風ユニット及び右送風ユニットの両吹き出し口から、風速２．５ｍ／ｓの風を吹き出した。この場合、図２１（ｅ）に示すように、室内機から吹き出された風は、吹き出し口設置面に対向する壁面に衝突するまでに安定して水平方向に広がっているのが分かった。解析空間の高さ毎の解析結果を参照すると、底面から１．５ｍの高さの位置では、図２１（ｂ）に示すように、室内機から吹き出された風が、水平方向に広がっていることが分かった。同様に、底面から１．０ｍの高さ位置でも、図２１（ｃ）に示すように、室内機から吹き出された風が、水平方向に広がっていることが分かった。また、底面から０．５ｍの高さ位置では、図２１（ｄ）に示すように、室内機から吹き出された風がほぼ通過していないことが分かった。また、解析空間の吹き出し口設置面からの距離毎の解析結果を参照すると、吹き出し口設置面から０．５ｍの位置（図２２（ａ）参照）から２．０ｍの位置（図２２（ｂ）参照）に至るまでに、風が広がっているのが分かった。【００７４】
以上の結果から、実施例１のように、４つの送風ユニットの各吹き出し口から均等に風を吹き出した場合、風の流れはほぼ直進するが、水平方向に広がらないことが分かった。また、左送風ユニット及び右送風ユニットの両吹き出し口からの風量が０の場合、特許文献１及び特許文献２と同様に、風の流れが不安定になることが分かった。具体的には、実施例２では風の流れが天井に向かい、実施例６では風の流れが波打ち、いずれも不安定になっていた。また、実施例３のように、上送風ユニットと下送風ユニットとの風量分配を異ならせた場合、風の流れを上下方向に指向させることができることが分かった。また、実施例５のように、上送風ユニットと下送風ユニットとの吹き出し方向を異ならせた場合も、風の流れを上下方向に指向させることができることが分かった。また、実施例４及び実施例７では、室内機から吹き出し口設置面に対向する壁面に至るまでに、風が安定し、且つ、広がっているのが分かった。【００７５】
以上、本発明の実施形態について図面に基づいて説明したが、具体的な構成は、これらの実施形態に限定されるものでないと考えられるべきである。本発明の範囲は、上記した実施形態の説明ではなく特許請求の範囲によって示され、さらに特許請求の範囲と均等の意味および範囲内でのすべての変更が含まれる。【００７６】
例えば、上記実施形態では、吹き出し口から調和された空気を吹き出す室内機や送風装置について説明したが、本発明はこれに限らず、各吹き出し口から風を送風可能であれば、空気の調和機能を有していなくてもよい。【００７７】
また、上記実施形態では、吹き出し口における吹き出し方向を変更可能にする風向変更板を設ける例について説明したが、本発明はこれに限らず、風向変更板を設けず、４つの吹き出し口における吹き出し方向を上下方向の所定の方向に固定しておいてもよい。この場合、吹き出し口における吹き出し方向を変更可能にする風向変更板等を設ける必要がないので、４つの吹き出し口の構成を簡略化できる。【００７８】
また、上記第１実施形態及び第２実施形態では、吹き出し口を長方形状に配置する例について説明したが、本発明はこれに限らず、４つの吹き出し口の吹き出し口設置面の各端部に沿う方向の長さを同じにして、吹き出し口を正方形に配置してもよい。この場合、４つの吹き出し口の吹き出し口設置面の各端部に沿う方向の長さが同じであるので、各吹き出し口から同等の風量の風を容易に吹き出すことができる。この場合、４つの吹き出し口の吹き出し口設置面の各端部に沿う方向の長さが異なる場合に比べて、４つの吹き出し口から吹き出される風の風量分配の制御が簡単になるので、吹き出し口設置面から離れる方向の風の向き及び量の制御がさらに容易になる。【００７９】
また、上記第１実施形態及び第２実施形態では、風量及び風向の両方を制御するようにしたが、本発明はこれに限らず、風量及び風量のいずれか一方を制御することで、衝突後に形成される塊感のある面的な風を所定の方向に安定して指向させることができる。
【産業上の利用可能性】
【００８０】
本発明を利用すれば、吹き出し口設置面から離れる方向の風を安定して形成することができる。
【図１】
2009020173.tif 000003
【図２】
2009020173.tif 000004
【図３】
2009020173.tif 000005
【図４】
2009020173.tif 000006
【図５】
2009020173.tif 000007
【図６】
2009020173.tif 000008
【図７】
2009020173.tif 000009
【図８】
2009020173.tif 000010
【図９】
2009020173.tif 000011
【図１０】
2009020173.tif 000012
【図１１】
2009020173.tif 000013
【図１２】
2009020173.tif 000014
【図１３】
2009020173.tif 000015
【図１４】
2009020173.tif 000016
【図１５】
2009020173.tif 000017
【図１６】
2009020173.tif 000018
【図１７】
2009020173.tif 000019
【図１８】
2009020173.tif 000020
【図１９】
2009020173.tif 000021
【図２０】
2009020173.tif 000022
【図２１】
2009020173.tif 000023
【図２２】
2009020173.tif 000024
【国際調査報告】
2009020173.tif 000025
2009020173.tif 000026
2009020173.tif 000027
2009020173.tif 000028